(57)【要約】      （修正有）【課題】エレベータがアミューズメントパーク等に設置されている場合に、その設置場所の雰囲気を損なうことなく、エレベータ利用者に対して情報を正確に提供する。【解決手段】所定のキャラクターを使用したアミューズメントパーク、又はその関連施設に設置されているエレベータの乗場７に、キャラクター本体１６とアナウンス装置を設置する。キャラクター本体１６は、常時は乗場７から見えないように配置しておき、要時に乗場７に出現させるように構成する。そして、エレベータ利用者による所定のエレベータ操作が検出されると、キャラクター本体１６を乗場７に出現させるとともに、アナウンス装置からキャラクターに合わせた音声案内を行い、利用者に情報を提供する。【選択図】図３
2009249104.tif 000002
【特許請求の範囲】
【請求項１】
所定のキャラクターを使用したアミューズメントパーク、又はその関連施設に設置されたエレベータの報知装置であって、
エレベータの乗場に設けられ、常時は前記乗場から見えないように配置され、要時に前記乗場に出現するキャラクター本体と、
前記乗場に設けられたアナウンス装置と、
エレベータ利用者による所定のエレベータ操作を検出することにより、前記キャラクター本体を前記乗場に出現させるとともに、前記アナウンス装置から前記キャラクターに合わせた音声案内を行い、前記利用者に情報を提供する制御装置と、
を備えたことを特徴とするエレベータの報知装置。
【請求項２】
エレベータの幕板に設けられた扉と、
を備え、
キャラクター本体は、常時に前記扉の裏側に配置され、
制御装置は、エレベータ利用者による所定のエレベータ操作を検出することにより、前記扉を開放して、前記キャラクター本体を前記幕板よりも乗場側に飛び出させる
ことを特徴とする請求項１に記載のエレベータの報知装置。
【請求項３】
制御装置は、
エレベータを保守モードにするための保守スイッチが投入されたか否かを判定する第１判定部と、
乗場呼びを登録するための乗場釦が押されたか否かを判定する第２判定部と、
前記第１判定部によって前記保守スイッチの投入が検出され、且つ前記第２判定部によって前記乗場釦が押されたことが検出された場合に、キャラクター本体を乗場に出現させるとともに、エレベータが利用できない旨をアナウンス装置から音声案内する動作制御部と、
を備えたことを特徴とする請求項１及び請求項２に記載のエレベータの報知装置。
【請求項４】
制御装置は、
エレベータ状態を判定する第３判定部と、
を更に備え、
動作制御部は、第１判定部によって保守スイッチの投入が検出されず、且つ第２判定部によって乗場釦が押されたことが検出された場合に、前記第３判定部の判定結果に基づいて、エレベータのかごが乗場に到着するまでの間の所定期間、キャラクター本体を乗場に出現させるとともに、アナウンス装置からそのキャラクターに合わせた音声案内を行う
ことを特徴とする請求項３に記載のエレベータの報知装置。
【発明の詳細な説明】
【技術分野】
【０００１】
この発明は、アミューズメントパーク等に設置されたエレベータの報知装置に関するものである。
【背景技術】
【０００２】
エレベータには、エレベータの利用の可否や運行状態を利用者に対して報知するため、種々の機能が備えられている。
【０００３】
例えば、従来技術として、エレベータの保守点検中に乗場釦が押された場合に、アナウンス装置から自動的に音声案内を行い、エレベータを利用することができない旨を乗場にいる利用者に対して報知するものが提案されている（例えば、特許文献１参照）。
また、他の従来技術として、エレベータのかご内で行先釦が押された場合に、かご内の表示装置への表示やアナウンス装置からの音声案内を行い、登録された行先階の情報をかご内の利用者に対して報知するものも提案されている（例えば、特許文献２参照）。
特許文献１及び２に記載のものであれば、視覚障がい者や小児等の利用者に対しても種々の情報を正確に伝えることができ、エレベータサービスの向上を図ることが可能となる。
【０００４】
【特許文献１】特開平７−２０６２９４号公報
【特許文献２】特開２００４−４３１５６号公報
【発明の開示】
【発明が解決しようとする課題】
【０００５】
エレベータが、例えば、オフィスビルや商業施設、集合住宅等に設置されている場合、エレベータの報知装置としては、エレベータの各種情報を利用者に正確に伝えることが重要であり、上記特許文献１や２に記載のものであれば、その機能を十分満足することができる。
【０００６】
しかし、エレベータが、例えば、アミューズメントパーク等に設置されている場合、報知装置が単に上記機能を備えているだけでは、面白みに欠けるといった問題があった。
特に、エレベータが保守点検中である場合に、単に報知装置からエレベータが保守点検中である旨が報知されたのでは、人々を楽しませることを目的とするアミューズメントパークの雰囲気が損なわれてしまうといった問題があった。
【０００７】
この発明は、上述のような課題を解決するためになされたもので、その目的は、エレベータがアミューズメントパーク等に設置されている場合に、その設置場所の雰囲気を損なうことなく、エレベータ利用者に対して情報を正確に提供することができるエレベータの報知装置を提供することである。
【課題を解決するための手段】
【０００８】
この発明に係るエレベータの報知装置は、所定のキャラクターを使用したアミューズメントパーク、又はその関連施設に設置されたエレベータの報知装置であって、エレベータの乗場に設けられ、常時は乗場から見えないように配置され、要時に乗場に出現するキャラクター本体と、乗場に設けられたアナウンス装置と、エレベータ利用者による所定のエレベータ操作を検出することにより、キャラクター本体を乗場に出現させるとともに、アナウンス装置からキャラクターに合わせた音声案内を行い、利用者に情報を提供する制御装置と、を備えたものである。
【発明の効果】
【０００９】
この発明によれば、エレベータがアミューズメントパーク等に設置されている場合に、その設置場所の雰囲気を損なうことなく、エレベータ利用者に対して情報を正確に提供することができるようになる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はエレベータ装置を示す構成図、図２はこの発明の実施の形態１におけるエレベータの報知装置を示す構成図、図３は図１に示すエレベータ装置の乗場の正面図、図４及び図５は図２に示すエレベータの報知装置の機能を説明するための図である。
このエレベータは、所定のキャラクターを使用したアミューズメントパークやその関連施設（例えば、アミューズメントパークに隣接したホテル）といった特定の場所に設置されている。そして、そのアミューズメントパークでは、上記キャラクターを用いたアトラクション、劇、パレード等が行われている。
【００１２】
図１乃至図３において、１は上記エレベータの昇降路、２は昇降路１内を昇降するかご、３はかご２とは昇降路１内を逆方向に昇降する釣合い重り、４はかご２と釣合い重り３とを釣瓶式に懸架する主ロープ、５は主ロープ４の一部が巻き掛けられた巻上機の駆動綱車、６は巻上機の制御等、エレベータ全体の運行制御を司る制御装置、７はエレベータの各サービス階に設けられたエレベータ乗場である。
８は制御装置６に接続された保守スイッチである。この保守スイッチ８は、エレベータの運転モードを保守モードに設定するために操作される。即ち、エレベータの専門技術者は、この保守スイッチ８を操作してから、エレベータの保守点検を行う。
【００１３】
９は乗場７に立設された乗場三方枠であり、乗場７の床面とによって昇降路１に通じる乗場出入口を形成する。１０は乗場出入口の上方に設けられた幕板、１１は乗場出入口を開閉する乗場ドアである。
また、乗場出入口近傍の壁面には、乗場表示器１２が設けられている。この乗場表示器１２には、例えば、かご２の現在位置を示すかご位置表示器１３と、上方向及び下方向の各乗場釦１４とが備えられている。即ち、エレベータ利用者は、上記乗場釦１４を押すことにより、自分の希望する方向の乗場呼びを登録する。
【００１４】
また、乗場７には、エレベータ利用者に対して、エレベータの利用の可否や現在の運行状態といった種々の情報を報知する報知手段が備えられている。この報知手段は、アミューズメントパークで使用されている上記キャラクターを用いて人々を楽しませながら、必要な情報を正確に伝えるための機能を有している。具体的に、この報知手段には、幕板１０の中央部に設けられた扉１５、上記キャラクターを形どったキャラクター本体１６、このキャラクター本体１６を支持する移動台１７、扉１５の開閉やキャラクター本体１６の動作、移動台１７（キャラクター本体１６）の移動等を行う駆動部１８、乗場７にいる利用者に対して音声案内を行うアナウンス装置１９が備えられている。
【００１５】
上記キャラクター本体１６は、常時は扉１５の裏側に配置され、乗場７にいる利用者からは見えないように配置されている。また、利用者に対して何らかの情報を報知する必要がある要時には、扉１５が開放されて、キャラクター本体１６が乗場７に出現するように構成されている。この時、移動台１７が駆動部１８によって駆動されることにより、キャラクター本体１６が幕板１０よりも乗場７側に飛び出すように構成しても良い（図４参照）。また、扉１５を図５の２０に示すように、引き戸形式にしても良い。
なお、上記アナウンス装置１９は、乗場表示器１２内に設置しても良いし、幕板１０の内部に収納して、キャラクター本体１６の近傍に設置しても良い。
【００１６】
そして、この報知手段を制御するための機能は、上記制御装置６に備えられている。即ち、制御装置６は、利用者が行った所定のエレベータ操作を検出することにより、キャラクター本体１６を乗場７に出現させるとともに、アナウンス装置１９から、そのキャラクターに合わせた音声案内を行い、利用者に対して、必要な情報を提供する。
【００１７】
具体的に、制御装置６には、第１判定部２１、第２判定部２２、第３判定部２３、動作制御部２４が備えられている。
第１判定部２１は、保守スイッチ８が投入されたか否かを判定する。即ち、エレベータの保守点検時、エレベータの専門技術者によって保守スイッチ８が投入されると、第１判定部２１によって保守スイッチ８のＯＮ状態が検出される。また、第２判定部２２は、乗場釦１４が押された（乗場呼びが登録された）か否かを判定する。即ち、エレベータ利用者が乗場釦１４を押すことにより、その接点信号等が第２判定部２２に入力され、乗場釦１４が押されたことが検出される。
【００１８】
第３判定部２３は、かご２の現在位置やかご２がその乗場７に到着するまでの所要時間等、エレベータの各種状態を判定する機能を有する。そして、動作制御部２４は、上記各判定部２１乃至２３の判定結果に基づいて、報知手段を適切に制御する。即ち、駆動部１８を適切に制御してキャラクター本体１６を乗場７に出現させるとともに、アナウンス装置１９から、そのキャラクター及びエレベータ状態に応じた適切な音声案内を行う。
【００１９】
次に、図６に基づき、上記構成を有する報知装置の具体的動作について説明する。図６はこの発明の実施の形態１におけるエレベータの報知装置の動作を示すフローチャートである。
制御装置６では、先ず、エレベータが通常運転中であるか否かを判定する（Ｓ１０１）。具体的には、第１判定部２１によって、保守スイッチ８が投入されているか否かが判定される。エレベータの通常運転中（第１判定部２１によって保守スイッチ８のＯＦＦ状態が検出されている時）に、第２判定部２２によって乗場釦１４が押されたことが検出されると（Ｓ１０２）、動作制御部２４により、駆動部１８及びアナウンス装置１９が制御される。
【００２０】
具体的には、駆動部１８により、扉１５の開放及び移動台１７の駆動が行われ、キャラクター本体１６が乗場７に現れる（Ｓ１０３、Ｓ１０４）。また、動作制御部２４によってアナウンス装置１９が制御され、その場に応じたアナウンスが流される（Ｓ１０５）。Ｓ１０５では、現在のかご位置、かご２の走行方向（上昇中か下降中か）、その日の天気、その施設の情報等が音声案内される。例えば、キャラクターの声及び話し方で、「今、５階だよ。エレベータが到着するまでちょっと待ってね。」、「今日は雨。足元に気をつけてね。」、「５階に到着。」等がアナウンスされる。また、キャラクター本体１６自体が駆動部１８によって動くように構成されている場合には、アナウンス装置１９から、例えば、「エレベータを待っている間にジャンケンしようよ。」といった音声案内を行った後に、駆動部１８によりキャラクター本体１６を駆動して、利用者（子供等）が遊べるようにすることも可能である。
【００２１】
動作制御部２４は、第３判定部２３の判定結果に基づき、かご２がその乗場７に到着するまでの間の所定期間、キャラクター本体１６を乗場７に出現させておくとともに、アナウンス装置１９からの音声案内を繰り返し行う（Ｓ１０６）。そして、動作制御部２４は、かご２がその乗場７に到着すると、移動台１７を駆動してキャラクター本体１６を幕板１０内に戻し、扉１５を閉める（Ｓ１０７、Ｓ１０８）。
【００２２】
一方、エレベータの専門技術者によって保守スイッチ８が投入されると、第１判定部２１によって保守スイッチ８のＯＮ状態が検出され（Ｓ１０１のＹｅｓ）、エレベータの保守点検作業が開始される（Ｓ１０９）。エレベータの保守点検中（第１判定部２１によって保守スイッチ８のＯＮ状態が検出されている時）に、第２判定部２２によって乗場釦１４が押されたことが検出されると（Ｓ１１０）、動作制御部２４により、駆動部１８及びアナウンス装置１９が制御される。
【００２３】
具体的には、駆動部１８により、扉１５の開放及び移動台１７の駆動が行われ、キャラクター本体１６が乗場７に現れる（Ｓ１１１、Ｓ１１２）。また、動作制御部２４によってアナウンス装置１９が制御され、エレベータが点検中で利用できない旨のアナウンスが流される（Ｓ１１３）。例えば、キャラクターの声及び話し方で、「只今、メンテナンス中だよ。ごめんね。また会おうね。」等がアナウンスされる。そして、動作制御部２４は、上記アナウンスを必要に応じて数回繰り返し行った後、移動台１７を駆動してキャラクター本体１６を幕板１０内に戻し、扉１５を閉める（Ｓ１１４、Ｓ１１５）。
【００２４】
制御装置６は、エレベータの保守点検作業が終了するまでの間、Ｓ１１０乃至Ｓ１１５のフローにしたがって動作を行う（Ｓ１１６）。そして、保守点検作業が終了して保守スイッチ８が操作された場合は（Ｓ１１７）、Ｓ１０１に戻って上記動作を繰り返す。
【００２５】
この発明の実施の形態１によれば、エレベータがアミューズメントパークやその関連施設に設置されている場合に、その設置場所の雰囲気を損なうことなく、エレベータ利用者に対して情報を正確に提供することができるようになる。即ち、エレベータが点検中の場合や、乗場釦１４を押した後の待ち時間の間もキャラクターを用いてアナウンスが行われるため、単に情報の提供が行われるだけでなく、エレベータをアミューズメントパークのアトラクションの一種（一部）として位置付けることができ、来園者を楽しませることが可能となる。
【００２６】
また、アミューズメントパークのオリジナルキャラクターを使用することができるため、そのアミューズメントパークの宣伝効果も期待できる。
【００２７】
なお、上記実施の形態においては、キャラクター本体１６を幕板１０内に設置した場合について説明したが、乗場７にいる利用者が見ることができれば、如何なる場所に設置されていても構わない。但し、キャラクター本体１６を幕板１０内に設置した場合は、乗場７の壁面等に設置する場合と比較して、構成を簡素化できるといった効果が期待できる。
【図面の簡単な説明】
【００２８】
【図１】エレベータ装置を示す構成図である。
【図２】この発明の実施の形態１におけるエレベータの報知装置を示す構成図である。
【図３】図１に示すエレベータ装置の乗場の正面図である。
【図４】図２に示すエレベータの報知装置の機能を説明するための図である。
【図５】図２に示すエレベータの報知装置の機能を説明するための図である。
【図６】この発明の実施の形態１におけるエレベータの報知装置の動作を示すフローチャートである。
【符号の説明】
【００２９】
１  昇降路、  ２  かご、  ３  釣合い重り、  ４  主ロープ、  ５  駆動綱車、
６  制御装置、  ７  乗場、  ８  保守スイッチ、  ９  乗場三方枠、  １０  幕板、
１１  乗場ドア、  １２  乗場表示器、  １３  かご位置表示器、  １４  乗場釦、
１５  扉、  １６  キャラクター本体、  １７  移動台、  １８  駆動部、
１９  アナウンス装置、  ２０  引き戸、  ２１  第１判定部、  ２２  第２判定部、
２３  第３判定部、  ２４  動作制御部
【図１】
2009249104.tif 000003
【図２】
2009249104.tif 000004
【図３】
2009249104.tif 000005
【図４】
2009249104.tif 000006
【図５】
2009249104.tif 000007
【図６】
2009249104.tif 000008